(57)【要約】【課題】  表示部から離れた場所に居る医療従事者がポップアップ画面をレイアウト表示とともに見易く感じるようにしつつ、表示部を利用して作業を行っている医療従事者が表示部に表示されている参照情報を見難くならないようにポップアップ画面を表示できる。【解決手段】  呼び出しが行われた場合に表示部１５の使用が検出されたときには、表示部１５は、参照情報の表示欄１５２とポップアップ画面１５３とを重複しないように表示し、呼び出しが行われた場合に表示部１５の使用が検出されなかったときには、拡大したポップアップ画面１５４と呼び出しを行った患者の患者情報表示欄１５１とを重複しないように表示する。これにより、医療従事者が利用している参照情報が見難くならないようにポップアップ画面１５３が表示され、表示部１５が利用されていない場合には患者情報表示欄１５１が隠れないように拡大したポップアップ画面１５４が表示される。【選択図】  図２
2011229749.tif 000002
【特許請求の範囲】
【請求項１】
医療従事者を呼び出すための呼出操作を行うための呼出操作部と、前記呼出操作部が操作された場合に、自装置を他の装置と識別するための子機識別情報を含む呼出信号を生成する子機用制御部と、前記子機用制御部にて生成された呼出信号を出力する子機用インターフェース部とを有するナースコール子機と、
前記ナースコール子機から出力された前記呼出信号を入力するインターフェース部と、患者を他の患者と識別するための患者情報とこの患者によって使用されるナースコール子機の子機識別情報とを関連付けて記憶する記憶部と、ナースコール子機の設置位置を示すレイアウト表示と呼出操作を行った患者の患者情報を含むポップアップ画面と医療従事者が参照している参照情報とを表示する表示部と、前記表示部が使用されていることを検出する使用センサと、前記インターフェース部が呼出信号を入力した場合に、前記表示部が使用されていることを前記使用センサにて検出したときには、前記記憶部を参照し、前記インターフェース部が入力した呼出信号に含まれる子機識別情報に関連付けて記憶されている患者情報を抽出して、その患者情報を含むポップアップ画面と前記医療従事者が参照している参照情報とを画面内で重複しないように前記表示部によって表示させ、前記インターフェース部が呼出信号を入力した場合に、前記表示部が使用されていることを前記使用センサにて検出していないときには、前記記憶部を参照し、前記インターフェース部が入力した呼出信号に含まれる子機識別情報に関連付けて記憶されている患者情報を抽出して、その患者情報を含むポップアップ画面とこの子機識別情報により特定されるナースコール子機のレイアウト表示における設置位置を示す部分とを重複しないように、かつ、前記使用センサが前記表示部の使用を検出したときに比べてポップアップ画面が大きくなるように、前記表示部によって画面内に表示させる制御部とを有するナースコール親機と、
を備えたことを特徴とするナースコールシステム。
【発明の詳細な説明】
【技術分野】
【０００１】
本発明は、病院などで患者からの要求に応じて医師や看護師などの医療従事者を呼び出すナースコールシステムに関する。
【背景技術】
【０００２】
従来、病院などでは、ナースコールシステムが用いられている。ナースコールシステムは、病室内の患者の近辺（例えば、ベッド近傍など）に設置されたナースコール子機および医療従事者の居る部屋（例えば、スタッフルームなど）に設置されたナースコール親機を有線などにより接続して構成されている。また、ナースコール親機によっては、医療従事者が携行している携帯通信端末（例えば、ＰＨＳ（Ｐｅｒｓｏｎａｌ  Ｈａｎｄｙｐｈｏｎｅ  Ｓｙｓｔｅｍ）やコードレス電話など）を無線によって接続するものも存在する。そして、患者によりナースコール子機が操作されると、ナースコール親機や携帯通信端末は、自装置に設けられた報知部を動作させて、スピーカから呼び出し音を出力させたり、表示ディスプレイなどに呼び出し表示を行わせたりして、呼び出しを報知している。医療従事者は、呼び出し音を聞いたり、呼び出し表示を見たりして、患者からの呼び出しを把握する。
【０００３】
また、ナースコール親機には、パソコンを利用したものもある。このパソコンを利用したナースコール親機では、実際のベッドの配置と同じように表示部（例えば、ディスプレイなど）上にレイアウト表示を行い、レイアウト表示における各ベッドの位置に患者情報（例えば、患者名など）を表示する。そして、このようなナースコール親機は、患者からの呼び出しが行われたときに、その患者の患者情報を含むポップアップ画面をレイアウト表示の上に表示するようにしている。これにより、ポップアップ画面を見た医療従事者は、どの患者が呼び出しを行ったかを視認することができる。また、レイアウト表示を見た医療従事者は、呼び出しを行った患者の居る場所を把握することができる。
【０００４】
ところで、医療従事者は、様々な業務を行っているため、ナースコール親機の表示部の近くに居ることが少ない。そのため、患者が呼び出しを行い、ナースコール親機が呼び出しを行った患者の患者情報を含むポップアップ画面を表示しても、ナースコール親機の表示部から離れた場所に居る医療従事者は、表示された患者情報を視認し難くなってしまうという問題があった。そこで、このような問題を解決するために、医療従事者がナースコール親機の表示部から離れた場所に居ても、表示された患者情報を視認し易くする技術が望まれていた。
【０００５】
ところで、表示部の画面と画面を見る人との距離に基づいて画面に表示する表示画像の大きさを変更する技術が知られている（例えば、特許文献１など）。特許文献１に記載の表示制御装置は、表示部と表示部の画面を見ている人との距離を計測し、計測した距離に対応する画像の拡大率を決定して、その拡大率に合わせて画像を拡大したり縮小したりして表示部に表示するようにしている。これにより、画面を見る人は、画面に近すぎたり画面から遠すぎたりする位置に居ても画面に表示される画像を見易く感じるようになる。ここで、表示部と表示部の画面を見ている人との距離の計測は光電センサが使用される。
【０００６】
このような、特許文献１に記載の技術を、パソコンを利用したナースコール親機に適用することで、上述した問題を解決することができる。すなわち、ナースコール親機とナースコール親機を使用している医療従事者との距離を光電センサにて検出し、医療従事者が表示部から離れた場所に居るとナースコール親機にて判断した場合に、ナースコール親機は、表示部に表示された画像を拡大して表示部に表示する。これにより、画像が大きく表示されるようになるので、医療従事者は、ナースコール親機の表示部から離れた場所に居ても、表示部に表示されている内容を見易く感じるようになる。
【０００７】
しかしながら、この従来技術では、表示部に表示される画像が全体的に拡大されるため、患者が呼び出しを行った際に表示されるポップアップ画面の表示位置によっては、ポップアップ画面が表示部の表示領域からはみ出て表示部に表示されなくなるケースが生じてしまうという問題があった。また、ポップアップ画面の下でレイアウト表示も拡大されるので、レイアウト表示が表示部の表示領域からはみ出て表示されなくなるケースが生じてしまうという問題があった。
【０００８】
ところで、医療従事者は、ナースコール親機に利用されるパソコンを使用して作業を行うことがある。この場合、医療従事者は、表示部に情報を表示しながら作業を行う。しかしながら、患者が呼び出しを行うとポップアップ画面が表示部に表示されるので、ポップアップ画面の表示位置によっては、参照したい情報（以下、参照情報と記載する）を表示している表示領域の上にポップアップ画面が表示されてしまい、医療従事者が参照情報を見難くなってしまうという問題があった。
【先行技術文献】
【特許文献】
【０００９】
【特許文献１】特開平１１−１０９９３６号公報
【発明の概要】
【発明が解決しようとする課題】
【００１０】
本発明は、このような問題を解決するために成されたものであり、表示部から離れた場所に居る医療従事者が、呼び出しを行った患者の患者情報を含むポップアップ画面をレイアウト表示とともに見易く感じることができるようにしつつ、表示部を利用して作業を行っている医療従事者が表示部に表示されている参照情報を見難くならないようにポップアップ画面を表示できるようにすることを目的とする。
【課題を解決するための手段】
【００１１】
上述した課題を解決するために、本発明のナースコールシステムでは、ナースコール子機により呼び出しが行われた場合に、表示部が使用されていることが検出されたときには、表示部を使用している医療従事者が参照している参照情報と、ナースコール子機により呼び出しを行った患者の患者情報を含むポップアップ画面とを表示部の画面内に重複しないように表示する。一方、ナースコール子機により呼び出しが行われた場合に、表示部が使用されていることが検出されなかったときには、ナースコール子機の設置位置を示すレイアウト表示における呼び出しが行われた場所を示す部分と、ナースコール子機により呼び出しを行った患者の患者情報を含むポップアップ画面とを重複しないように、かつ、表示部が使用されていることが検出された場合に比べてポップアップ画面が大きくなるように、表示部の画面内に表示するようにしている。
【発明の効果】
【００１２】
上記のように構成した本発明によれば、ナースコール子機により呼び出しが行われた場合に、表示部が使用されていることが検出されたときには、参照情報とポップアップ画面とが重複しないように表示されるので、表示部を利用して作業を行っている医療従事者が表示部に表示されている参照情報を見難くならないようにポップアップ画面を表示することができる。また、ナースコール子機により呼び出しが行われた場合に、表示部が使用されていることが検出されなかったときには、レイアウト表示における呼び出しが行われた場所を示す部分とポップアップ画面とが重複しないように、かつ、ポップアップ画面が大きく表示されるので、表示部から離れた場所に居る医療従事者が呼び出しを行った患者の患者情報を含むポップアップ画面をレイアウト表示とともに見易く感じるようにすることができる。
【００１３】
また、表示部が使用されていることが検出された場合には、医療従事者が表示部の近くに居ると判断されるため、医療従事者が小さく表示されたポップアップ画面を見難いと感じることはない。また、何れの場合でも、ポップアップ画面が表示部の画面内に表示されるので、医療従事者が患者情報を視認することができる。
【図面の簡単な説明】
【００１４】
【図１】本実施形態によるナースコールシステムの構成例を示すブロック図である。
【図２】本実施形態によるナースコールシステムのナースコール親機の表示部の画面表示例を示す説明図である。
【図３】本実施形態によるナースコールシステムのナースコール親機の動作を示すフローチャートである。
【発明を実施するための形態】
【００１５】
以下、本発明の一実施形態を図面に基づいて説明する。本実施形態によるナースコールシステムの構成例を示すブロック図を図１に示す。同図に示すように、本実施形態によるナースコールシステムは、ナースコール子機１、ナースコール親機１０を備えて構成されている。
【００１６】
また、ナースコール子機１は、子機用制御部２、呼出操作部３、子機用インターフェース（以下、Ｉ／Ｆとする）部４を備えて構成されている。また、ナースコール親機１０は、制御部１１、インターフェース（以下、Ｉ／Ｆとする）部１２、記憶部１３、使用センサ１４、表示部１５を備えて構成されている。
【００１７】
図１において、ナースコール子機１は、病室内の各患者の近辺（例えば、ベッド近傍など）にそれぞれ設置されており、患者が医療従事者を呼び出すためのものである。ここで、ナースコール子機１に通話機能が搭載されている場合には、ナースコール子機１とナースコール親機１０との間で通話を行うことができる。これにより、患者は、呼び出しに応答した医療従事者と会話することができる。
【００１８】
ナースコール親機１０は、医療従事者の居る部屋（例えば、スタッフルームなど）に設置されており、患者からの呼び出しを医療従事者に報知したり、医療従事者が患者からの呼び出しに対して応答したりするためのものである。ここで、ナースコール親機１０には、複数のナースコール子機１が接続されている。また、ナースコール親機１０とナースコール子機１との間には、制御機および複数の廊下灯（ともに図示せず）が設置されている。制御機は、ナースコール子機１とナースコール親機１０との間の通信を制御する。また、廊下灯は、自装置に設けた表示灯を点灯または点滅させ、患者からの呼び出しを報知する。
【００１９】
ナースコール子機１の子機用制御部２は、ＣＰＵ（Ｃｅｎｔｒａｌ  Ｐｒｏｃｅｓｓｉｎｇ  Ｕｎｉｔ）などにより構成されており、ナースコール子機１の各構成要素を後述するように制御する。呼出操作部３は、ボタンなどにより構成されており、患者により医療従事者を呼び出すために操作されるものである。呼出操作部３が操作されると、子機用制御部２は、医療従事者に対して呼び出しを行うための呼出信号を生成する。子機用Ｉ／Ｆ部４は、ナースコール子機１にナースコール親機１０を接続しており、子機用制御部２が生成した呼出信号をナースコール親機１０へ出力する。ここで、呼出信号は、自装置を他のナースコール子機１と識別するための子機識別情報（例えば、子機番号など）を含む。
【００２０】
ナースコール親機１０の制御部１１は、ＣＰＵなどにより構成されており、ナースコール親機１０の各構成要素を後述するように制御する。Ｉ／Ｆ部１２は、ナースコール親機１０にナースコール子機１を接続しており、ナースコール子機１から出力された呼出信号を入力する。
【００２１】
記憶部１３は、患者を他の患者と識別するための患者情報（例えば、患者名など）とこの患者によって使用されるナースコール子機１の子機識別情報とを関連付けて記憶している。ここで、ナースコールシステムを管理している管理者などは、ナースコール親機１０に設けた設定部（図示せず）によって患者情報および子機識別情報を関連付けて登録する。制御部１１は、登録された患者情報および子機識別情報を記憶部１３に記憶させる。
【００２２】
また、記憶部１３は、表示部１５が表示する画像を生成するための情報として、ナースコール子機１の設置位置を示すレイアウト表示画面の画像を示すレイアウト画像情報を記憶している。また、記憶部１３は、ナースコール子機１による呼び出しが行われたことを示すポップアップ画面の画像を示すポップアップ画面情報を記憶している。また、記憶部１３は、レイアウト表示画面のナースコール子機１の設置位置に表示される患者情報と、それを表示する位置の座標を示す患者座標情報とを関連付けて記憶している。また、記憶部１３は、医療従事者が参照している参照情報を表示するための表示欄の画像を示す表示欄画像情報と、それを表示する位置の座標を示す表示欄座標情報とを関連付けて記憶している。ここで、表示欄に表示される参照情報は、表示部１５を使用する医療従事者によって選択される。また、選択された参照情報は、表示欄に表示される。
【００２３】
使用センサ１４は、例えば、赤外線センサなどにより構成されており、表示部１５が使用されていることを検出するためのものである。ここで、使用センサ１４は、表示部１５を使用している医療従事者を検出することができるように、表示部１５の前方に赤外線を放射し、医療従事者の身体などで反射した赤外線を受光して、赤外線の受光量の変化の度合いにより表示部１５が使用されていることを検出する。
【００２４】
例えば、医療従事者が表示部１５を使用していない状態では、使用センサ１４から放射された赤外線は、表示部１５の前方に検出物体が無いので反射しない。そのため、赤外線の受光量はほとんど変化しない。一方、医療従事者が表示部１５を使用している状態では、使用センサ１４から放射された赤外線は、医療従事者の身体などで反射する。そのため、赤外線の受光量が変化する。使用センサ１４は、赤外線の受光量の変化の度合いが所定値以上になったと判断し、表示部１５が使用されていることを示す検出信号を生成して制御部１１へ出力する。ここで、使用センサ１４は、受光量が変化前の状態に戻るまで継続して検出信号を出力する。
【００２５】
表示部１５は、表示ディスプレイなどにより構成されており、レイアウト表示画面とポップアップ画面と参照情報の表示欄とを表示するためのものである。ここで、制御部１１は、後述の判定処理の結果に基づいて生成した画像を表示部１５によって表示させる。
【００２６】
まず、制御部１１は初期の動作を実行する。具体的には、制御部１１は記憶部１３を参照し、レイアウト画像情報、患者情報を取得するとともに、患者情報に関連付けて記憶されている患者座標情報を取得する。また、制御部１１は、取得したレイアウト画像情報を基に、ナースコール子機１の設置位置の枠の大きさに合わせて患者情報を表示する文字の大きさを調整して、レイアウト表示画面を生成する。そして、制御部１１は、生成したレイアウト表示画面を表示部１５によって表示させる。
【００２７】
図２は、本実施形態によるナースコールシステムのナースコール親機１０の表示部１５の画面表示例を示す図である。同図（ａ）に示すように、制御部１１が初期の動作を行った状態（換言すると、ナースコール親機１０が呼び出しを報知する前の状態）では、表示部１５の画面には、実際のベッドの配置と同じように構成されたナースコール子機１の設置位置を示すレイアウト表示画面１５０が表示されている。また、レイアウト表示画面１５０におけるナースコール子機１の設置位置には、患者情報表示欄１５１により特定される患者名が表示されている。ここで、患者情報表示欄１５１は、病室毎にまとまって表示されており、上方に部屋番号を表示している。
【００２８】
また、初期の動作を行うと、制御部１１は、参照情報を参照するための操作が行われたか否かを判定する。参照情報を参照するための操作が行われたと制御部１１にて判断した場合に、制御部１１は記憶部１３を参照し、表示欄画像情報を取得するとともに、取得した表示欄画像情報に関連付けて記憶されている表示欄座標情報を取得する。また、制御部１１は参照情報を取得する。また、制御部１１は、取得した表示欄座標情報により表示欄１５２を表示する位置を決定し、表示欄１５２内に参照情報が表示されるように表示欄１５２を表示部１５に表示させる（図２（ｂ））。同図（ｂ）に示すように、表示部１５はレイアウト表示画面１５０の上に表示欄１５２を重ねて表示する。
【００２９】
表示部１５がレイアウト表示画面１５０および表示欄１５２を表示部１５に表示すると、制御部１１は、Ｉ／Ｆ部１２がナースコール子機１から出力された呼出信号を入力したか否かを判定する。呼出信号を入力したと制御部１１にて判断した場合に、制御部１１は、使用センサ１４から出力された検出信号を入力したか否かを判定する。ここで、医療従事者が表示部１５を利用して作業を行っているため、制御部１１は検出信号を入力したと判定する。そして、制御部１１は、入力した呼出信号に含まれる子機識別情報を抽出する。また、制御部１１は、記憶部１３を参照し、抽出した子機識別情報に関連付けて記憶されている患者情報を取得するとともに、記憶部１３に記憶されているポップアップ画面情報を取得する。また、制御部１１は、取得した患者情報およびポップアップ画面情報から、患者情報を含むポップアップ画面を生成する。また、制御部１１は、表示欄１５２とポップアップ画面とが重複しないようにポップアップ画面の表示座標を決定する。そして、制御部１１は、表示部１５を制御して、決定した表示座標にポップアップ画面１５３を表示させる（図２（ｃ））。ここで、表示欄画像情報により表示欄１５２の大きさがわかるため、制御部１１は、表示欄１５２とポップアップ画面１５３とが重複しないようにポップアップ画面１５３の表示座標を決定することができる。
【００３０】
同図（ｃ）に示すように、例えば、呼び出しを行った患者の患者情報が「○□△郎」であり、その患者が使用しているナースコール子機１の子機識別情報が「２０１−２」であるとした場合、レイアウト表示画面１５０の上に表示されている表示欄１５２の表示位置と重複しない位置に、呼び出しを行った患者の患者情報「○□△郎」を含むポップアップ画面１５３がレイアウト表示画面１５０の上に表示される。
【００３１】
図２（ａ）に示すように、表示部１５がレイアウト表示画面１５０を表示している状態で、医療従事者が表示部１５を使用していない状態では、参照情報を参照するための操作が行われていないと制御部１１にて判断される。制御部１１は、Ｉ／Ｆ部１２がナースコール子機１から出力された呼出信号を入力したか否かを判定する。制御部１１が呼出信号を入力したと判断した場合に、制御部１１は、使用センサ１４から出力された検出信号を入力したか否かを判定する。ここで、医療従事者が表示部１５を利用していないため、制御部１１は検出信号を入力していないと判定する。そして、制御部１１は、入力した呼出信号に含まれる子機識別情報を抽出する。また、制御部１１は、記憶部１３を参照し、抽出した子機識別情報に関連付けて記憶されている患者情報を取得するとともに、記憶部１３に記憶されているポップアップ画面情報を取得する。また、制御部１１は、記憶部１３を記憶し、取得した患者情報に関連付けて記憶されている患者座標情報を取得する。また、制御部１１は、取得した患者情報およびポップアップ画面情報から、取得した患者情報を含み、ポップアップ画面情報を所定の倍率で拡大したポップアップ画面を生成する。また、制御部１１は、レイアウト表示画面１５０における呼び出しを行った患者の患者情報表示欄１５１とポップアップ画面とが重複しないようにポップアップ画面の表示座標を決定する。そして、制御部１１は、表示部１５を制御して、決定した表示座標に拡大したポップアップ画面１５４を表示させる（図２（ｄ））。ここで、患者座標情報により、レイアウト表示画面１５０における呼び出しを行った患者の患者情報表示欄１５１の位置がわかるため、制御部１１は、この患者情報表示欄１５１と拡大したポップアップ画面１５４とが重複しないように拡大したポップアップ画面１５４の表示座標を決定することができる。また、所定の倍率は、呼び出しを行った患者の患者情報表示欄１５１と拡大したポップアップ画面１５４とが重複しないように拡大したポップアップ画面１５４の表示座標を決定した際に、拡大したポップアップ画面１５４が画面内に収まる大きさになる程度の倍率である。
【００３２】
同図（ｄ）に示すように、例えば、呼び出しを行った患者の患者情報が「○□△郎」であり、その患者が使用しているナースコール子機１の子機識別情報が「２０１−２」である場合、呼び出しを行った患者の患者情報「○□△郎」が表示されている患者情報表示欄１５１の位置と重複しない位置に、呼び出しを行った患者の患者情報「○□△郎」を含む拡大したポップアップ画面１５４がレイアウト表示画面１５０の上に表示される。
【００３３】
また、ナースコール親機１０には、ポップアップ画面１５３、１５４の表示を消すための操作部（図示せず）が設けられている。ここで、上述の図２（ｃ）または図２（ｄ）に示すように、ポップアップ画面１５３、１５４の表示による報知が行われると、報知を把握した医療従事者は、操作部を操作することでポップアップ画面１５３、１５４を表示する前の状態に表示部１５の表示を戻すことができる。また、操作部は、ナースコール親機１０や廊下灯などに設置されている。
【００３４】
次に、本実施形態によるナースコールシステムのナースコール親機１０の動作を説明する。図３は、本実施形態によるナースコールシステムのナースコール親機１０の動作を示すフローチャートである。まず、制御部１１は、初期の動作として、記憶部１３に記憶されているレイアウト画像情報、患者情報を取得するとともに、患者情報に関連付けて記憶されている患者座標情報を取得する。また、制御部１１は、取得した情報からレイアウト表示画面１５０を生成して表示部１５によって表示させる。その状態で、制御部１１は、参照情報の参照操作が行われたか否かを判定する（ステップＳ１）。参照情報の参照操作が行われていないと制御部１１にて判断した場合には（ステップＳ１にてＮＯ）、ステップＳ７の処理へ移行する。
【００３５】
一方、参照情報の参照操作が行われたと制御部１１にて判断した場合には（ステップＳ１にてＹＥＳ）、制御部１１は、記憶部１３を参照し、表示欄画像情報および表示欄画像情報を取得し、取得した情報から決定した位置に参照情報の表示欄１５２を表示部１５によって表示させる（ステップＳ２）。
【００３６】
そして、制御部１１はＩ／Ｆ部１２が呼出信号を入力したか否かを判定する（ステップＳ３）。呼出信号を入力していないと制御部１１にて判断した場合には（ステップＳ３にてＮＯ）、制御部１１は、表示欄１５２を閉じる操作が行われたか否かを判定する（ステップＳ４）。表示欄１５２を閉じる操作が行われていないと制御部１１にて判断した場合には（ステップＳ４にてＮＯ）、ステップＳ３の処理に戻る。一方、表示欄１５２を閉じる操作が行われたと制御部１１にて判断した場合には（ステップＳ４にてＹＥＳ）、ステップＳ１の処理に戻る。一方、呼出信号を入力したと制御部１１にて判断した場合には（ステップＳ３にてＹＥＳ）、制御部１１は、検出信号を入力したか否かを判定する（ステップＳ５）。検出信号を入力していないと制御部１１にて判断した場合には（ステップＳ５にてＮＯ）、制御部１１は、入力した呼出信号に含まれる子機識別情報を抽出し、記憶部１３を参照して、抽出した子機識別情報に関連付けて記憶されている患者情報を取得するとともに、ポップアップ画面情報を取得する。また、制御部１１は、取得した患者情報およびポップアップ画面情報から所定の倍率で拡大したポップアップ画面１５４を生成して表示部１５によって表示させ（ステップＳ６）、ステップＳ１４の処理へ移行する。
【００３７】
一方、検出信号を入力したと制御部１１にて判断した場合には（ステップＳ５にてＹＥＳ）、制御部１１は、入力した呼出信号に含まれる子機識別情報を抽出し、記憶部１３を参照して、抽出した子機識別情報に関連付けて記憶されている患者情報を取得するとともに、ポップアップ画面情報を取得する。また、制御部１１は、取得した患者情報およびポップアップ画面情報からポップアップ画面１５３を生成する（ステップＳ７）。そして、制御部１１は、表示欄１５２とポップアップ画面１５３とが重複しないようにポップアップ画面１５３を表示部１５によって表示させて（ステップＳ８）、ステップＳ１４の処理へ移行する。
【００３８】
ステップＳ９において、制御部１１は、Ｉ／Ｆ部１２が呼出信号を入力したか否かを判定する。呼出信号を入力していないと制御部１１にて判断した場合には（ステップＳ９にてＮＯ）、ステップＳ１の処理に戻る。一方、呼出信号を入力した場合には（ステップＳ９にてＹＥＳ）、制御部１１は、検出信号を入力したか否かを判定する（ステップＳ１０）。検出信号を入力したと制御部１１にて判断した場合には（ステップＳ１０にてＹＥＳ）、制御部１１は、入力した呼出信号に含まれる子機識別情報を抽出し、記憶部１３を参照して、抽出した子機識別情報に関連付けて記憶されている患者情報を取得するとともに、ポップアップ画面情報を取得する。また、制御部１１は、取得した患者情報およびポップアップ画面情報からポップアップ画面１５３を生成して表示部１５によって表示させ（ステップＳ１１）、ステップＳ１４の処理へ移行する。
【００３９】
一方、検出信号を入力していないと制御部１１にて判断した場合には（ステップＳ１０にてＮＯ）、制御部１１は、入力した呼出信号に含まれる子機識別情報を抽出し、記憶部１３を参照して、抽出した子機識別情報に関連付けて記憶されている患者情報を取得するとともに、ポップアップ画面情報を取得する。また、制御部１１は、取得した患者情報およびポップアップ画面情報から所定の倍率で拡大したポップアップ画面１５４を生成する（ステップＳ１２）。そして、制御部１１は、呼び出しを行った患者の患者情報表示欄１５１と拡大したポップアップ画面１５４とが重複しないように拡大したポップアップ画面１５４を表示部１５によって表示させて（ステップＳ１３）、ステップＳ１４の処理へ移行する。
【００４０】
ステップＳ１４において、制御部１１は、操作部が操作されたか否かを判定する。操作部が操作されていないと制御部１１にて判断した場合には（ステップＳ１４にてＮＯ）、ステップＳ１４の処理を繰り返す。一方、操作部が操作されたと制御部１１にて判断した場合には（ステップＳ１４にてＹＥＳ）、制御部１１は、表示されているポップアップ画面１５３、１５４を消去して（ステップＳ１５）、処理を終了する。
【００４１】
以上、詳しく説明したように、本実施形態のナースコールシステムでは、レイアウト表示画面１５０とポップアップ画面１５３、１５４と参照情報を参照するための表示欄１５２とを表示する表示部１５を使用しているか否かを検出する使用センサ１４を設け、参照情報の表示欄１５２をレイアウト表示画面１５０の上に表示した状態で、Ｉ／Ｆ部１２がナースコール子機１から出力された呼出信号を入力した場合に、表示部１５が使用されていることを使用センサ１４にて検出したときには、制御部１１は、入力した呼出信号に含まれる子機識別情報に関連付けて記憶部１３に記憶されている患者情報を含むポップアップ画面１５３を生成し、参照情報の表示欄１５２とポップアップ画面１５３とを重複しないように表示部１５によってポップアップ画面１５３を表示させるようにしている。
【００４２】
一方、Ｉ／Ｆ部１２がナースコール子機１から出力された呼出信号を入力した場合に、表示部１５が使用されていることを使用センサ１４にて検出していないときには、制御部１１は、入力した呼出信号に含まれる子機識別情報に関連付けて記憶部１３に記憶されている患者情報を含み、所定の倍率で拡大したポップアップ画面１５４を生成し、呼び出しを行った患者の患者情報表示欄１５１と拡大したポップアップ画面１５４とを重複しないように表示部１５によって拡大したポップアップ画面１５４を表示させるようにしている。
【００４３】
これにより、ナースコール子機１により呼び出しが行われた場合に、表示部１５が使用されていることが検出されたときには、参照情報の表示欄１５２とポップアップ画面１５３とが重複しないように表示されるので、表示部１５を利用して作業を行っている医療従事者が表示部１５に表示されている参照情報を見難くならないようにポップアップ画面１５３を表示することができる。また、ナースコール子機１により呼び出しが行われた場合に、表示部１５が使用されていることが検出されなかったときには、呼び出しを行った患者の患者情報表示欄１５１と拡大したポップアップ画面１５４とが重複しないように、かつ、ポップアップ画面１５３が拡大されているので、表示部１５から離れた場所に居る医療従事者が呼び出しを行った患者の患者情報を含む拡大したポップアップ画面１５４をレイアウト表示１５０とともに見易く感じるようにすることができる。また、表示部１５が使用されていることが検出された場合には、医療従事者が表示部１５の近くに居ると判断されるため、医療従事者が小さく表示されたポップアップ画面１５３を見難いと感じることはない。また、何れの場合でも、ポップアップ画面１５３、１５４が表示部１５の画面内に表示されるので、医療従事者が患者情報を視認することができる。
【００４４】
なお、前述した実施形態では、使用センサ１４は、赤外線センサにより構成されているが、これに限定されない。例えば、ナースコール親機１０を操作するための入力装置（例えば、マウスやキーボードであり、図示せず）が操作されたか否かを検出するセンサや医療従事者が表示部１５を使用する際に居る位置付近の荷重を検出するセンサにより使用センサ１４が構成されるようにしても良い。
【００４５】
また、前述した実施形態では、制御部１１は、呼び出しが行われていない場合における患者の患者情報表示欄１５１の表示と、呼び出しが行われた場合における患者の患者情報表示欄１５１の表示とを区別させていないが、これに限定されない。例えば、制御部１１が呼び出しを行った患者の患者情報表示欄１５１を点滅などにより強調して表示させることで、呼び出しが行われていない場合における患者の患者情報表示欄１５１の表示と、呼び出しが行われた場合における患者の患者情報表示欄１５１の表示とを区別させるようにしても良い。
【００４６】
また、前述した実施形態では、制御部１１は、Ｉ／Ｆ部１２が呼出信号を入力した場合に検出信号を入力したか否かの判定処理を実行しているが、これに限定されない。例えば、Ｉ／Ｆ部１２が呼出信号を入力した後に検出信号を入力したか否かの判定処理を常に実行するようにしても良い。これにより、制御部１１は、呼出信号を入力した後に医療従事者が表示部１５に近づいたり離れたりした場合でも、その状況に合わせてポップアップ画面１５３の大きさを変更して表示部１５によって表示させることができる。
【００４７】
その他、ナースコールシステムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００４８】
１    ナースコール子機
２    子機用制御部
３    呼出操作部
４    子機用インターフェース（Ｉ／Ｆ）部
１０    ナースコール親機
１１    制御部
１２    インターフェース（Ｉ／Ｆ）部
１３    記憶部
１４    使用センサ
１５    表示部
１５０    レイアウト表示画面
１５１    患者情報表示欄
１５２    表示欄
１５３    ポップアップ画面
１５４    拡大したポップアップ画面
【図１】
2011229749.tif 000003
【図２】
2011229749.tif 000004
【図３】
2011229749.tif 000005